(57)【要約】【課題】  ヘルールの締結作業を片手で容易に行うことができ、かつ、比較的大径のヘルールにも適用できるヘルールクランプを提供する。【解決手段】  半割体２Ａの固定端部２Ａαの基部２Ａ１にギア２０Ａを回転可能に設けると共に、半割体２Ｂの固定端部２Ａαの基部２Ｂ１にギア２０Ｂを回転可能に設ける。また、半割体２Ａのギア２０Ａの爪２０Ａ１と半割体２Ｂのギア２０Ｂの爪２０Ｂ１を係合させる。【選択図】    図１
2010196887.tif 000002
【特許請求の範囲】
【請求項１】
半円状の二つの半割体の一端部同士が、両半割体を開閉可能な状態にして結合され、前記半割体は、環状をなす二つのヘルールに被せた後に半割体の他端部同士を結合する固定具を備えているヘルールクランプにおいて、
各半割体の一端部にギアが設けられ、一方の半割体のギアが他方の半割体のギアに係合していることを特徴とするヘルールクランプ。
【請求項２】
前記ギアは、各半割体と一体で設けられている請求項１に記載のヘルールクランプ。
【請求項３】
前記ギアは、各半割体の一端部の複数箇所に設けられている請求項１又は２に記載のヘルールクランプ。
【発明の詳細な説明】
【技術分野】
【０００１】
本発明は、食品、薬品、化粧品などのサニタリー業界の工場配管に使用されるヘルール継手のヘルールクランプに関するものである。
【背景技術】
【０００２】
ヘルール継手は、液体や粉体等を流す管体同士を突き合わせて接続する際に使用するものである。このヘルール継手は、環状をなす二つのヘルールと、両へルールの間に介在させたガスケットと、両へルールを外周側から締結するヘルールクランプとで構成される。このヘルールクランプの従来例を図７に示す。
【０００３】
このヘルールクランプ１０１は、半円状をなす二つの半割体１０２Ａ、１０２Ｂと、支持具Ｓと、固定具Ｆとで主要部が構成されている。
【０００４】
半割体１０２Ａ、１０２Ｂは、両端部が断面ストレート形状であり、両端部の間が断面半円形状である。この半割体１０２Ａ、１０２Ｂの一端部（紙面右側の端部：以下、それぞれ固定端部１０２Ａα、１０２Ｂαとする）同士は、支持具Ｓと２つのピン１０３Ａ、１０３Ｂとを用いて結合されている。これにより、半割体１０２Ａは、ピン１０３Ａを支点として回転可能となっており、半割体１０２Ｂは、ピン１０３Ｂを支点として回転可能となっている。また、半割体１０２Ａ、１０２Ｂの他端部（紙面左側の端部：以下、それぞれ締付端部１０２Ａβ、１０２Ｂβとする）同士は、半割体１０２Ｂの締付端部１０２Ｂβにピン１０６で回転可能に取り付けられた固定具Ｆで結合されている。この固定具Ｆは、ねじ１０８を備え、このねじ１０８を回転させることでクランプ１０１に締付力を付与できる。
【０００５】
上記の構造を成したヘルールクランプ１０１でヘルールの締結作業を一人で行う場合、まず、ヘルールを溶着した管体を片手で持ちながらヘルールの間に入れたガスケットを指で押さえ、残りの手でクランプ１０１を持ってヘルールに被せ、どちらかの手でクランプ１０１の固定具Ｆを操作してクランプ１０１を締め付ける必要がある。
【０００６】
この図７に示すヘルールクランプ１０１は、両半割体１０２Ａ、１０２Ｂの固定端部１０２Ａα、１０２Ｂαをピン１０３Ａ、１０３Ｂと支持具Ｓとを用いて結合してあるだけなので、クランプ１０１をヘルールに被せる際、両半割体１０２Ａ、１０２Ｂに開く方向の力を加えて開口状態を維持する必要がある。そのため、クランプ１０１は、片手でヘルールに被せるのは困難であり、これに起因して、半割体１０２Ａ、１０２Ｂを閉じた状態で固定具Ｆを操作してヘルールを締結するのが難しいという問題があった。
【０００７】
上記の課題を解決するヘルールクランプとして、例えば、図８に示す特許文献１に記載のものが知られている。
【０００８】
このヘルールクランプ２０１は、二つの半割体２０２Ａ、２０２Ｂと、固定具Ｆとで主要部が構成されている。両半割体２０２Ａ、２０２Ｂは、一端部（紙面上側の端部：以下、それぞれ固定端部２０２Ａα、２０２Ｂαとする）同士がピン２０３で結合されており、このピン２０３を支点として開閉可能な状態となっている。また、一方の半割体２０２Ａの固定端部２０２Ａαから他方の半割体２０２Ｂの固定端部２０２Ｂαに亘ってスプリング２１１を利用した閉鎖手段２１０が設けられている。固定具Ｆは、一方の半割体２０２Ａの他端部（紙面下側の端部：以下、締付端部２０２Ａβとする）に、ピン２０６でもって回転可能に取り付けられている。
【０００９】
このヘルールクランプ２０１でヘルールを締結する方法について、図９を参照して説明する。まず、白抜矢印Ｌで示すように、両半割体２０２Ａ、２０２Ｂの固定端部２０２Ａα、２０２Ｂαを、互いに近づく方向へ指で押圧して、閉鎖手段２１０のスプリング２１１を圧縮する。これにより、両半割体２０２Ａ、２０２Ｂは、閉鎖手段２１０のスプリング２１１の弾性力に逆らって強制的に開く。次に、半割体２０２Ａの締付端部２０２Ａβと半割体２０２Ｂの締付端部２０２Ｂβ（紙面下側の端部）との間の開口部からクランプ２０１の内周側へ、矢印Ｍで示すようにヘルールＨを挿入して、クランプ２０１をヘルールＨに被せる。ヘルールＨがクランプ２０１の内周側に完全に入ると、閉鎖手段２１０のスプリング２１１の弾性復元力により、両半割体２０２Ａ、２０２Ｂが閉じる。次に、固定具Ｆを、ピン２０６を支点として矢印Ｎで示すように回転させて、先端側部位を半割体２０２Ｂの締付端部２０２Ｂβに引っ掛けることにより、両半割体２０２Ａ、２０２Ｂの締付端部２０２Ａβ、２０２Ｂβ同士を結合して一体化させる。その後、固定具Ｆのねじ２０８ａを締め付けて、両半割体２０２Ａ、２０２Ｂに締付力を付与する。以上の作業により、クランプ２０１によるヘルールＨの締結が完了する。
【先行技術文献】
【特許文献】
【００１０】
【特許文献１】特開２００６−２２６３４５号公報
【発明の概要】
【発明が解決しようとする課題】
【００１１】
図８に示すヘルールクランプ２０１の場合、片手の指で閉鎖手段２１０に押圧力を加えることでクランプ２０１を開くことができるが、閉鎖手段２１０に押圧力を加えるのを止めると、クランプ２０１は、ばね２１１の弾性復元力により、元の閉じた状態に戻ってしまう。そのため、クランプ２０１の開口状態を維持するために、閉鎖手段２１０に押圧力を加え続けなければならない。この操作は、クランプ２０１をヘルールに被せるのが困難になる要因となる。
【００１２】
また、図８に示すヘルールクランプ２０１は、指の押圧力でスプリング２１１を圧縮させて、両半割体２０２Ａと２０２Ｂを開く構造であるため、比較的小径のヘルールにしか適用できないという問題がある。さらに、半割体２０２Ａの締付端部２０２Ａβと半割体２０２Ｂの締付端部２０２Ｂβとの間の開口部からヘルールＨを挿入する際、ヘルールＨが接触して、ヘルールＨや半割体２０２Ａ、２０２Ｂの締付端部２０２Ａβ、２０２Ｂβの締付端部を摩耗させてしまう可能性がある。
【００１３】
本発明は、上記の事情に鑑みてなされたものであり、ヘルールの締結作業を片手で容易に行うことができ、かつ、比較的大径のヘルールにも適用できるヘルールクランプを提供するものである。
【課題を解決するための手段】
【００１４】
上記の課題を解決するための本発明に係るヘルールクランプは、半円状の二つの半割体の一端部同士が、両半割体を開閉可能な状態にして結合され、前記半割体は、環状をなす二つのヘルールに被せた後に半割体の他端部同士を結合する固定具を備えているヘルールクランプであって、各半割体の一端部にギアが設けられ、一方の半割体のギアが他方の半割体のギアに係合していることを特徴とする。
【００１５】
この場合、一方の半割体に開閉方向の力を加えると、この力は、両半割体のギアにより開閉方向で逆向きとなる力に変換されて、他方の半割体に伝達される。そのため、一方の半割体の開閉に連動させて他方の半割体を開閉することができる。
【００１６】
また、本発明のヘルールクランプは、両半割体が開口した状態を維持できるので、該開口がヘルールの外径よりも大きく開いた状態にして該へルールに装着することにより、装着時のヘルールとの干渉を回避して摩耗、それによる摩耗粉の発生を防止することができると共に、装着作業も容易になる。
【００１７】
前記発明において、ギアは、各半割体と一体で設けるのが望ましい。この場合、ヘルールクランプの部品点数を減らすことができるため、クランプの製造工程数、ひいてはクランプの製造に必要な時間を削減することができる。
【００１８】
前記ギアは、各半割体の一端部の複数個所に設けるのが望ましい。この場合、複数のギアによりヘルールクランプの開閉動作が円滑になるため、クランプによるヘルールの締結が極めて容易になる。
【００１９】
なお、両半割体にギアが設けられた本発明において、前記半割体のうち少なくとも一方の一端部は、固定側の部材に固定することもできる。
【発明の効果】
【００２０】
本発明に係るヘルールクランプは、各半割体の一端部にギアを設けて、一方の半割体のギアを他方の半割体のギアに係合させるため、一方の半割体に開く（或いは閉じる）方向の力を加えると、この力がギアを介して他方の半割体に伝達されるため、他方の半割体も開く（或いは閉じる）ことができる。このため、ヘルールクランプの開閉操作を片手で行うことができ、その結果、クランプによるヘルールの締結作業が容易になる。
【００２１】
また、本発明のヘルールクランプは、両半割体が開口した状態を維持できるので、該開口がヘルールの外径よりも大きく開いた状態にして該へルールに装着することにより、装着時のヘルールとの干渉を回避して摩耗、それによる摩耗粉の発生を防止することができると共に、装着作業も容易になる。
【００２２】
さらに、本発明のヘルールクランプは、各半割体の一端部に設けたギア同士の係合により、両半割体を開閉する構造であるので、図８に示す従来のヘルールクランプに比べて、比較的大型のものであっても、開閉操作が容易である。そのため、比較的大径のヘルールに対しても適用可能である。
【図面の簡単な説明】
【００２３】
【図１】本発明の第１の実施形態で、ヘルールクランプを示す断面図である。
【図２】図１のＡ−Ａ断面図である。
【図３】図１に示すクランプにおいて、固定具で両半割体の締付端部が結合されていない状態を示す断面図である。
【図４】固定具で図１に示すクランプを締め付ける方法を説明するもので、上側は図３に示すクランプのＣ−Ｃ断面図、下側は上側の状態から固定具を操作した状態を示す断面図（図１のＢ−Ｂ断面図）である。
【図５】本発明の第２の実施形態で、ヘルールクランプを示す断面図である。
【図６】図５のＡ−Ａ断面図である。
【図７】従来のヘルールクランプを示す断面図である。
【図８】閉鎖手段を備えた従来のヘルールクランプを示す断面図である。
【図９】図８に示すクランプの操作方法を説明する断面図である。
【発明を実施するための形態】
【００２４】
以下に本発明の実施の形態について、添付の図面（図１〜図６）を参照して説明する。
【００２５】
図１に本発明の第１の実施形態を示す。このヘルールクランプ１は、半円状をなす二つの半割体２Ａ、２Ｂと、この半割体２Ａ、２Ｂの一端部を支持する支持具Ｓと、固定具Ｆとで主要部が構成されている。
【００２６】
半割体２Ａ、２Ｂは、両端部が断面ストレート形状であり、両端部の間が断面半円形状である。この半割体２Ａ、２Ｂは、図１のＡ−Ａ断面図である図２に示すように、幅方向（図１においては紙面垂直方向、図２においては紙面上下方向）に延びる基部２Ａ１、２Ｂ１の幅方向両端部を内周側へ屈曲させて側部２Ａ２、２Ｂ２および側部２Ａ３、２Ｂ３とした構造である。そのため、半割体２Ａ、２Ｂは、図２に示す断面コの字形状を成す。
【００２７】
図１に示すように、半割体２Ａ、２Ｂの一端部（紙面右側の端部：以下、それぞれ固定端部２Ａα、２Ｂαとする）同士は、支持具Ｓと２つのピン３Ａ、３Ｂを用いて結合されている。このピン３Ａ、３Ｂは、例えば、その両端部を加締めることで、支持具Ｓからの抜けを防止している。
【００２８】
この支持具Ｓは、図２に示すように、一対の結合板５Ａ、５Ｂで構成されている。この結合板５Ａ、５Ｂにより、半割体２Ａ、２Ｂは、その基部２Ａ１、２Ｂ１同士が互いに対向するようにして、幅方向で挟まれている。
【００２９】
また、図１に示すように、半割体２Ａ、２Ｂの他端部（紙面左側の端部：以下、それぞれ締付端部２Ａβ、２Ｂβとする）同士は、半割体２Ｂの締付端部２Ｂβにピン６で回転可能に取り付けられた固定具Ｆで結合されて一体化している。
【００３０】
この固定具Ｆは、図１に示すように、操作部８Ａと軸状部８Ｂとで構成されたねじ８と、ねじ８の軸状部８Ｂの先端が螺合された本体１１とで主要部が構成されている。この固定具Ｆのねじ８を回転させることにより、クランプ１に締付力を付与できる。
【００３１】
上記固定具Ｆの本体１１は、図１のＢ−Ｂ断面図である図４下側に示すように、半割体２Ａ、２Ｂの幅方向（紙面上下方向）に沿って延びる基部１０Ｃの幅方向両端部を半割体２Ａ、２Ｂの内周側へ延設して側部１０Ａ、１０Ｂとした構造である。一方の側部１０Ａの端部から半割体２Ｂの締付端部２Ｂβを介して他方の側部１０Ｂの端部までピン６が挿通されている。このピン６は、その両端部を加締めることで本体１１からの抜けを防止している。また、基部１０Ｃには挿通孔１０Ｃ１と、雌ねじ部１０Ｃ２とが設けられており、この挿通孔１０Ｃ１にねじ８の軸部８Ｂを挿通して雌ねじ部１０Ｃ２に螺合させている。
【００３２】
図１および図２に示すように、半割体２Ａの固定端部２Ａαの基部２Ａ１にギア２０Ａを設けると共に、半割体２Ｂの固定端部２Ｂαの基部２Ｂ１にギア２０Ｂを設けている。なお、ギア２０Ｂの拡大図を図１の円枠Ｘ内に示した。
【００３３】
図２に示すように、一方の結合板５Ａの一端部から、半割体２Ａの固定端部２Ａαの一方の側部２Ａ２、ギア２０Ａ、半割体２Ａの固定端部２Ａαの他方の側部２Ａ３を順に介して他方の結合板５Ｂの一端部まで前記したピン３Ａを挿通している。これにより、半割体２Ａおよびギア２０Ａは、ピン３Ａを支点として回転可能となっている。また、一方の結合板５Ａの他端部から半割体２Ｂの固定端部２Ｂαの一方の側部２Ｂ２、ギア２０Ｂ、半割体２Ｂの固定端部２Ｂαの他方の側部２Ｂ３を順に介して他方の結合板５Ｂの他端部までピン３Ｂを挿通している。これにより、半割体２Ｂおよびギア２０Ｂは、ピン３Ｂを支点として回転可能となっている。さらに、半割体２Ａのギア２０Ａの爪２０Ａ１と半割体２Ｂのギア２０Ｂの爪２０Ｂ１を係合させている。
【００３４】
次に、クランプ１でヘルールを締結する方法について説明する。
【００３５】
まず、図３に示すように、半割体２Ａ、２Ｂの締付端部２Ａβ、２Ｂβ同士が固定具Ｆで結合されていない状態のクランプ１の一方の半割体２Ａに、開く方向（紙面上側の方向）の力Ｐ１を加える。なお、反割体２Ａ、２Ｂの固定端部２Ａα、２Ｂαは、両者の開閉動作を妨げない状態で図示されていない固定側の部材に装着される。
【００３６】
これにより、半割体２Ａのギア２０Ａが矢印Ｐ２で示すようにピン３Ａを支点として時計周りに回転し、これに伴い、他方の半割体２Ｂのギア２０Ｂが矢印Ｐ３で示すようにピン３Ｂを支点として反時計回りに回転する。このため、Ｐ４で示す方向（紙面下側の方向）の力が他方の半割体２Ｂに伝達される。そのため、一方の半割体２Ａを矢印Ｐ１に示すように開くことで、他方の半割体２Ｂも矢印Ｐ４で示すように開くことができる。
【００３７】
次に、クランプ１を、開口状態を維持したまま、管体に溶着した環状をなす二つのヘルール（図示省略）に外周側から被せる。ここで、半割体２Ａのギア２０Ａと半割体２Ｂのギア２０Ｂを互いに係合させているため、半割体２Ａに力を加えるのを止めても、クランプ１は、閉じて元の状態に戻ることがなく、開口状態を容易に維持できる。そのため、クランプ１をヘルールに被せるのが容易になる。
【００３８】
クランプ１をヘルールに被せた後、半割体２Ａに閉じる方向（紙面下側の方向）の力Ｑ１を加える。これにより、半割体２Ａのギア２０Ａが矢印Ｑ２で示すようにピン３Ａを支点として反時計回りに回転し、これに伴い、他方の半割体２Ｂのギア２０Ｂが矢印Ｑ３で示すようにピン３Ｂを支点として時計回りに回転する。これにより、半割体２ＢにＱ４で示す方向（紙面上側の方向）の力が伝達される。そのため、一方の半割体２Ａを矢印Ｑ１に示すように閉じることで、他方の半割体２Ｂも矢印Ｑ４で示すように閉じることができる。
【００３９】
次に、図４上側に示すように、一方の半割体２Ｂの締付端部２Ｂβに取り付けられた固定具Ｆを矢印αで示すように回転させて、基部１０Ｃ側の部位を他方の半割体２Ａの締付端部２Ａβに引っ掛ける。この操作により、図４下側（図１のＢ−Ｂ断面図）に示すように、両半割体２Ａ、２Ｂの締付端部２Ａβ、２Ｂβ同士を結合して一体化させる。
【００４０】
この後、ねじ８の操作部８Ａを白抜矢印βで示すように回転させて、矢印γで示すようにねじ８の軸状部８Ｂを半割体２Ａの締付端部２Ａβの基部２Ａ１へ押し付けていく。これにより、半割体２Ａ、２Ｂに締付力が付与されて、二つのヘルール（図示省略）を締結することができる。
【００４１】
図５に本発明の第２の実施形態に係るヘルールクランプ５１を示す。なお、本実施形態において、図１に示す第１の実施形態と同じ部位・機能・形態を有する部品については同じ符号を付してその説明を省略する。また、図１に示す第１の実施形態と同じ作用および効果についても、その説明を省略或いは簡略化する。
【００４２】
図５のＡ−Ａ断面図を図６に示す。この図６に示すように、本実施形態のヘルールクランプ５１は、半割体２Ａの固定端部２Ａαの一方の側部２Ａ２にギア３０Ａ、他方の側部２Ａ３にギア４０Ａを設けると共に、半割体２Ｂの固定端部２Ｂαの一方の側部２Ｂ２にギア３０Ｂ、他方の側部２Ｂ３にギア４０Ｂを設けている。
【００４３】
一方の結合板５Ａの一端部から、ギア３０Ａ、ギア４０Ａを順に介して他方の結合板５Ｂの一端部までピン３Ａを挿通する。これにより、半割体２Ａおよびギア３０Ａ、４０Ａは、ピン３Ａを支点として回転可能となっている。また、一方の結合板５Ａの他端部から、ギア３０Ｂ、ギア４０Ｂを順に介して結合板５Ｂの他端部までピン３Ｂを挿通する。これにより、半割体２Ｂおよびギア３０Ｂ、４０Ｂは、ピン３Ｂを支点として回転可能となっている。ピン３Ａ、３Ｂは、その両端部に加締めることで、支持部Ｓからの抜けを防止している。また、ギア３０Ａの爪３０Ａ１とギア３０Ｂの爪３０Ｂ１を係合させ、ギア４０Ａの爪４０Ａ１とギア４０Ｂの爪４０Ｂ１を係合させている。
【００４４】
ギアは、各半割体２Ａ、２Ｂに２つずつ設けるため、ギアが各半割体に１つだけの場合（第１の実施形態である図１を参照）よりもクランプ１の開閉操作を円滑に行うことができる。その結果、クランプ１によるヘルールの締結作業が極めて容易になる。
【００４５】
ギア３０Ａ、４０Ａは、半割体２Ａの一方の側部２Ａ２や他方の側部２Ａ３と一体で設け、ギア３０Ｂ、４０Ｂは、半割体２Ｂの一方の側部２Ｂ２や他方の側部２Ｂ３と一体で設けている。この結果、クランプ１の部品点数が少なくなり、クランプ１の製造工程数、ひいては、クランプ１を製造するのに必要な時間を削減することができる。
【００４６】
以上、本発明の実施の形態について説明したが、これに限らず、特許請求の範囲に記載の内容を逸脱しない範囲内で任意に変更が可能である。
【符号の説明】
【００４７】
１、５１  ヘルールクランプ
２Ａ、２Ｂ  半割体
Ｓ  支持具
Ｆ  固定具
２０Ａ〜４０Ａ、２０Ｂ〜４０Ｂ  ギア
【図１】
2010196887.tif 000003
【図２】
2010196887.tif 000004
【図３】
2010196887.tif 000005
【図４】
2010196887.tif 000006
【図５】
2010196887.tif 000007
【図６】
2010196887.tif 000008
【図７】
2010196887.tif 000009
【図８】
2010196887.tif 000010
【図９】
2010196887.tif 000011